(57)【要約】【課題】回転円盤の駆動手段として小型かつ安価なモータを使用できる遊技機用コイン払出装置を提供する。【解決手段】コインＣを遊技媒体として動作する遊技機に用いられるコイン払出装置２０において、コインＣを多数収容可能なバケット３２と、該バケット３２の底部に設けられた回転円盤２４と、該回転円盤２４の外周面を駆動することにより該回転円盤２４を回転させるモータ４２とを備え、回転円盤２４は、その上面の円周に沿ってバケット３２内のコインＣを保持し、該回転円盤２４の回転によりコインＣを回転中心に対して外向きに順次送り出す。【選択図】  図４
2004202078.tif 000002
【特許請求の範囲】
【請求項１】
コインを遊技媒体として動作する遊技機に用いられるコイン払出装置において、
前記コインを多数収容可能なバケットと、
該バケットの底部に設けられた回転円盤と、
該回転円盤の外周面を駆動することにより該回転円盤を回転させる駆動手段とを備え、
前記回転円盤は、その上面の円周に沿って前記バケット内のコインを保持し、該回転円盤の回転により前記コインを回転中心に対して外向きに順次送り出すことを特徴とする遊技機用コイン払出装置。
【請求項２】
請求項１記載の遊技機用コイン払出装置において、上記回転円盤の外周面には、該回転円盤よりも小径の歯車と噛み合う歯が形成され、
該歯車を前記駆動手段で回転駆動するようにしたことを特徴とする遊技機用コイン払出装置。
【請求項３】
コインを遊技媒体として動作する遊技機に用いられるコイン払出装置において、
前記コインを多数収容可能なバケットと、
該バケットの底部に設けられた回転円盤と、
該回転円盤の外周に沿って形成された周壁の内周面に、該回転円盤よりも小径の歯車と噛み合う内歯歯車を形成し、該歯車を回転駆動することにより該回転円盤を回転させる駆動手段とを備え、
前記回転円盤は、その上面の円周に沿って前記バケット内のコインを保持し、該回転円盤の回転により前記コインを回転中心に対して外向きに順次送り出すことを特徴とする遊技機用コイン払出装置。
【発明の詳細な説明】
【０００１】
【発明の属する技術分野】
本発明は、コイン、メダル或いはトークン等（本発明では、これらをまとめてコインと称する）の遊技媒体を使用して遊技を行うスロットマシン等の遊技機に用いられるコイン払出装置に関する。
【０００２】
【従来の技術】
遊技機用コイン払出装置は、一般に、コインを無配列に多数収容するバケットと、コインを１枚ずつ同一面に揃えてバケットから送出するコイン送出部と、これらバケット及びコイン送出部を支持する基台とを備えて構成されている（例えば、下記特許文献１参照）。
【０００３】
作動時には、バケット内に収容されたコインは、バケットの底部に設けられた回転円盤上の円周に沿って１枚ずつ保持される。この回転円盤は、その中心軸を回転させるモータによって駆動され、この回転円盤の回転により、コインは回転中心に対して外向きに順次送り出される。
【０００４】
【特許文献１】
特開平７―１１４６５８号公報
【０００５】
【発明が解決しようとする課題】
上記のようなコイン払出装置では、バケット内に収容されている多数のコインの荷重を受ける回転円盤を回転駆動するために、非常に大きな力が必要となる。
このため、回転円盤の駆動手段であるモータに出力が大きいことが要求され、大型で価格も高いモータが使用されていた。
【０００６】
本発明の目的は、回転円盤を駆動するために必要な力が、従来よりも小さくて済み、駆動手段として小型かつ安価なモータを使用できる遊技機用コイン払出装置を提供することである。
【０００７】
【課題を解決するための手段】
本発明は、コインを遊技媒体として動作する遊技機に用いられるコイン払出装置において、コインを多数収容可能なバケットと、該バケットの底部に設けられた回転円盤と、該回転円盤の外周面を駆動することにより該回転円盤を回転させる駆動手段とを備え、回転円盤は、その上面の円周に沿って前記バケット内のコインを保持し、該回転円盤の回転によりコインを回転中心に対して外向きに順次送り出すことを特徴とする。
【０００８】
本発明の具体的態様では、回転円盤の外周面には、該回転円盤の外径よりも小径の歯車と噛み合う歯が形成され、該歯車を駆動手段で回転駆動するようにしたことを特徴とする。
【０００９】
又は、コインを遊技媒体として動作する遊技機に用いられるコイン払出装置において、コインを多数収容可能なバケットと、該バケットの底部に設けられた回転円盤と、該回転円盤の外周に沿って形成された周壁の内周面に、該回転円盤よりも小径の歯車と噛み合う内歯歯車を形成し、該歯車を回転駆動することにより該回転円盤を回転させる駆動手段とを備え、回転円盤は、その上面の円周に沿って前記バケット内のコインを保持し、該回転円盤の回転により前記コインを回転中心に対して外向きに順次送り出すことを特徴とする。
【００１０】
【作用及び効果】
本発明によれば、バケット内に収容されたコインは、バケットの底部に設けられた回転円盤上の円周に沿って並んで保持され、回転円盤の回転により回転中心に対して外向きに順次送り出される。この回転円盤は、駆動手段が回転円盤の外周面を駆動することによって回転するので、従来のように回転円盤の中心軸を回転駆動する場合よりも格段に小さい力で、コイン送り出しに必要なトルクを得ることができる。このため、駆動手段は、従来のモータよりも出力及びトルクが小さいものでよく、それだけ、小型で安価なモータを用いることができる。
【００１１】
発明の具体的態様では、回転円盤の外周面にその径より小径の歯車と噛み合う歯を形成し、その歯車を回転させることによって回転円盤を回転駆動する。このため、駆動手段としては、上記歯車を出力軸に固着したモータを用いることができる。
【００１２】
或いは、回転円盤の外周に沿って形成された周壁の内周面に内歯歯車を形成し、これに噛み合う歯車を回転させることによって回転円盤を回転駆動するようにしてもよい。
【００１３】
【発明の実施の形態】
図１は、本発明の実施例のコイン払出装置２０の外観図である。このコイン払出装置２０は、基台２２、回転円盤２４及びカバー２６を含む本体部２８と、カバー２６上に設置されて多数のコインＣを収容するバケット３２とで構成されている。バケット３２は、本体部２８のカバー２６にねじ３４で着脱自在に取付けられる。
【００１４】
図２は、バケット３２を取り外した状態で本体部２８を分解して示す斜視図である。基台２２は、上部が適当な角度（例えば２５度）をもって斜めに形成された枠体から成り、その上部には、矩形状の金属板からなる基板３６が傾斜して取付けられる。
【００１５】
基板３６の上面には、コインＣよりわずかに厚い矩形の金属板から成る外側ガイド板３７が取付けられ、その上をカバー２６が覆う。外側ガイド板３７は、その中央部に、径が回転円盤２４より小さく且つ後述のコイン受け板３８及びコイン送出ガイド板４０の外径（ガイド爪５０の先端が位置する円の直径）よりも大きい円形の開口３７ａを有する。この開口３７ａの周縁は、コイン案内面として形成されている。
【００１６】
さらに、外側ガイド板３７の左側部には、コインが１枚ずつ通過できる幅を持つコイン排出口３７ｂが形成されている。このコイン排出口３７ｂの入口側には、後で説明する位置固定ローラ５４及び位置可変ローラ５６を配置するための切欠き３７ｃ及び３７ｄが形成されている。
【００１７】
回転円盤２４の下面には、後述のようにバケット３２から回転円盤２４の円形開口４６内に入ったコインを受ける円環状のコイン受け板３８が、これと回転円盤２４との間に爪車状のコイン送出ガイド板４０を介在させて、回転円盤２４と一体に回転するように装着される。これによって、コインは円形開口を貫通して回転円盤の下面へ落ち込むことなく、回転円盤の上面の円周に沿って保持することができる。
【００１８】
このコイン受け板３８には、図６に示すように円弧状に切り欠いた部分を上方に所定角度θ（例えば１５°）折り曲げて形成した複数（この場合、８個）の傾斜部３９が、円周に沿って一定ピッチの角度（この例の場合、４５°）で間隔を置いて配置されている。
【００１９】
次に、基板３６の右下部の下面には、回転円盤２４を回転する駆動手段として、モータ４２が取付けられる。モータ４２は、基板３６及び外側ガイド板３７に設けた貫通孔３６ｇ、３７ｆを通って、外側ガイド板３７の上方から下向きに挿入されるねじ１２を、モータ４２に設けられたねじ孔４２ｂにねじ込むことよって、基板３６及び外側ガイド板３７に固定される。このとき、モータ４２の出力軸４２ａは、基板３６と外側ガイド板３７にそれぞれ設けた軸孔３６ｆ、軸孔３７ｅを貫通し、その先端部が外側ガイド板３７の上に突出する。
【００２０】
この先端部には、出力軸４２ａを中心として一体に回転する歯車１１が取付けられる。ここで、歯車１１は、外側ガイド板３７の上面から離れた位置にある。
【００２１】
図２に示すように、回転円盤２４の中心部には、貫通孔４９が空いており、この孔にシャフト４７を通して、回転円盤２４と一体に回転するように固定する。
シャフト４７の下端部は、基板３６中央部の貫通孔３６ａを通って、基板３６の下面中央部に取付けられる軸受４８に支持される。
【００２２】
図３及び図４に示すように、回転円盤２４の外周面には、上記出力軸４２ａ上の歯車１１と噛み合う歯２５が形成されている。回転円盤２４は、歯２５に噛み合った歯車１１の回転によりシャフト４７を中心として回転駆動する。
【００２３】
図２に示すように、基板３６には、ゴミ排出用の複数の孔３６ｂ、後述の位置固定ローラ５４と位置可変ローラ５６を基板３６上のコイン排出口３７ｂの両側に配置するための軸孔３６ｃと長孔３６ｄ、及び、後述のように排出されるコインを検出するためのコインセンサ６０及び６１用の検出窓３６ｅ等が形成されている。
【００２４】
次に、図５に示すように、回転円盤２４には、コインＣより少し大きい直径の円形開口４６が複数（この場合、８個）形成されている。これらの円形開口４６は、回転円盤２４の円周に沿って一定のピッチ（角度間隔）をとって設けられている。
【００２５】
又、図７に示すように、回転円盤２４の円形開口４６の上部周縁は上方に向かって拡開するテーパ状に形成されており、コインＣが円形開口４６に入り易くなっている。
【００２６】
この回転円盤２４の下側に配置されるコイン送出ガイド板４０は、図２及び図５に示すような爪車状に形成された金属板から成り、回転円盤２４の円形開口４６に対応した数のガイド爪５０を有し、隣り合うガイド爪５０の間に、コイン受け板３８で受けたコインを保持する。回転円盤２４の回転駆動時には、それらのコインが回転円盤２４の中心から離れる方向に付勢される。
【００２７】
このコイン送出ガイド板４０では、１つ置きのガイド爪５０の根本に相当する位置に、ねじ４４を挿通する貫通孔４１が設けられている。コイン送出ガイド板４０の厚さは、コインＣの厚さとほぼ同じである。
【００２８】
又、図５に示すように、コイン送出ガイド板４０のガイド爪５０は、上方から見て反時計方向に湾曲した形状を有し、その湾曲形の内側縁はコイン保持案内面５０ａとして、外側縁はコイン送出案内面５０ｂとして、それぞれ形成されている。コイン保持案内面５０ａは、回転円盤２４の円形開口４６に沿った円弧状に形成されている。ある１つのガイド爪５０のコイン保持案内面５０ａは、反時計方向に延びて次のガイド爪５０のコイン送出案内面５０ｂとなっている。
【００２９】
次に、図６（Ａ）に示すように、コイン受け板３８は円環状の金属板から成り、その円周に沿って一定の角度で間隔を置いて回転円盤２４の円形開口４６と同数の略半円形傾斜部３９が設けられている。同（Ｂ）に示すように、各傾斜部３９は、円弧状に切り欠いた部分を上面側に所定の角度傾斜するように折り曲げることによって形成され、その結果、コイン受け板３８には上方から見て円弧状のスリット３９ａが形成されている。このコイン受け板３８は、上記コイン送出ガイド板４０の貫通孔４１と対応する位置に、前述のねじ４４をねじ込むためのねじ孔５１を有する。
【００３０】
図５及び図７に示すように、回転円盤２４とコイン送出ガイド板４０とコイン受け板３８は、組立の際には、回転円盤２４の円形開口４６の周縁の一部とコイン送出ガイド板４０のコイン保持案内面５０ａとコイン受け板３８のスリット３９ａとが一致するように重ね合わせ、上方からねじ４４を回転円盤２４の貫通孔４５及びコイン送出ガイド板４０の貫通孔４１に通し、コイン受け板３８のねじ孔５１にねじ込むことにより、一体に固定される。これによって、回転円盤２４が回転駆動する際には、回転円盤２４とコイン送出ガイド板４０とコイン受け板３８は、一体になって回転駆動する。
【００３１】
次に、図５に示すように、基板３６の上面において、コイン排出口３７ｂの入口側には、位置固定ローラ５４と位置可変ローラ５６が配置され、コイン排出口３７ｂに臨む位置に来たコインを排出するためのコイン排出部を構成している。
【００３２】
詳細には、位置固定ローラ５４は、基板３６に設けられた軸孔３６ｃを通る軸により、定位置で回転自在に設けられる一方、位置可変ローラ５６は、これを回転自在に支持する軸が基板３６の長孔３６ｄに沿って移動することにより、その位置が変化するように設けられている。この位置可変ローラ５６の周面は、これにコインＣが当たってコイン排出口３７ｂへ勢いよく送り込まれるため、ゴム又は合成樹脂等の弾性体で覆われている。
【００３３】
位置可変ローラ５６の軸は、長孔３６ｄの一端側の排出口閉じ位置と他端側の排出口開放位置との間で変位可能であるが、通常は、図示しないバネによって図５に示された閉じ位置に付勢されている。位置可変ローラ５６は、この閉じ位置では、コイン送出ガイド板４０とコイン受け板３８の外周縁部に近接する。これらの回転に伴い、コイン排出口３７ｂを臨む位置に来たコインＣは、閉じ位置にある位置可変ローラ５６に当接し、この位置可変ローラ５６を図５において上方に変位させる。そして、コインＣは、排出口開放位置に変位した位置可変ローラ５６の回転力により、この位置可変ローラ５６と位置固定ローラ５４との間からコイン排出口３７ｂの出口側へ向けて付勢され、コイン排出口３７ｂの出口から勢いよく排出される。
【００３４】
こうして排出されるコインを検出するため、図２に示すように、２個のコインセンサ６０及び６１がカバー２６の凹部２６ａに配置され、その上に遮光蓋６２が取付けられる。又、カバー２６及び基板３６には、上記コインセンサ６０、６１に対応する位置に検出窓２６ｂ、３６ｅが形成されている。
【００３５】
コインセンサ６０及び６１としては、反射型或いは透過型のフォトセンサが用いられ、排出コインが透過する毎に検出パルスを生成してコントローラ６３に送る。
【００３６】
コントローラ６３は、遊技機全体の動作を制御するもので、マイクロコンピュータから成る。これには、駆動回路（ドライバ）６４を介してモータ４２が接続される。コントローラ６３は、遊技状態に応じた枚数のコイン払い出しを行うため、駆動回路６４に駆動制御信号を送ってモータ４２を駆動し、回転円盤２４の歯２５に噛み合った歯車１１を回転させ、回転円盤２４を回転駆動する。これにより、コイン排出口３７ｂからコインが１枚ずつ排出されるが、払い出されたコインはコインセンサ６０及び６１で検出され、その検出信号によってコントローラ６３がコイン払い出し数を計数し、所定の枚数に達した時にモータ４２の駆動を停止する。
【００３７】
次に、上記構成のコイン払出装置２０の動作を説明する。
【００３８】
図１のバケット３２に多量のコインＣが収容されている状態において、遊技状態に応じて所定枚数のコイン払い出しを行うとき、図２のコントローラ６３は、駆動回路６４に駆動制御信号を送ってモータ４２を駆動する。これにより、歯車１１と回転円盤の外周面の歯２５とが噛み合って、回転円盤２４はコイン送出ガイド板４０及びコイン受け板３８と一体で、図５において時計方向に回転する。
このとき、多量のコインＣにより回転円盤２４の軸方向に大きな荷重がかかっていても、モータ４２の歯車１１が回転円盤２４の外周面を回転駆動するため、モータ自体の出力及びトルクが小さくても、回転円盤２４を回転駆動することができる。
【００３９】
コインＣは、回転円盤２４の円形開口４６に落ち込むと、コイン受け板３８に支持される。ここで、回転円盤２４の下面とコイン受け板３８の上面との間隙は、コイン送出ガイド板４０によってほぼコインＣの１枚分の厚さに保持されている。
【００４０】
図５に示すように、上記円形開口４６を通ってコイン受け板３８で受け止められたコインＣは、回転円盤２４の回転に伴って回転円盤２４の中心から離れる方向に付勢されながら、外側ガイド板３７の円形開口３７ａの周縁で形成されたコイン案内面に沿って回転円盤２４の回転方向に移動する。
【００４１】
その後、コインＣは、コイン排出口３７ｂの入口近くで位置固定ローラ５４に当接し、更にコイン送出ガイド板４０のコイン送出案内面５０ｂに押されて位置可変ローラ５６を開方向に変位させる。そして、ガイド爪５０の先端がコインＣに接する位置で位置可変ローラ５６を乗り越えると、コインＣは、位置可変ローラ５６の回転力によりコイン排出口３７ｂから勢いよく排出される。
【００４２】
上記のようにして排出されたコインが所定の払出し枚数に達すると、コントローラ６３はモータ４２の駆動を停止し、コインの排出を止める。
【００４３】
以上の実施例において、モータ４２の歯車１１と回転円盤２４の歯２５との噛み合いにより、回転円盤２４の外周面を駆動することで、従来のように回転円盤の中心軸を回転駆動する場合よりも格段に小さな力で、コイン送り出しに必要なトルクを得ることができる。このため、駆動手段は、従来のモータよりも出力及びトルクが小さいものでよく、それだけ、小型で安価なモータを用いることができる。
【００４４】
別の実施例として、図８に示すように、モータ４２を回転円盤２４の上方に下向きに取付け、回転円盤２４の上にその外周に沿って形成された周壁２４ｂの内周面に沿って、モータ４２の歯車１１と噛み合う内歯歯車２５ａを形成し、歯車１１を回転させることにより回転円盤２４を回転駆動するようにしても、上記と同様の効果が得られる。このとき、歯車１１と内歯歯車２５ａとの間にバケット３２内のコインＣが挟み込むのを防ぐために、モータ４２の歯車１１の周囲を適宜の手段によりカバーすることが望ましい。又は、回転円盤２４の下にその外周に沿って形成された周壁の内周面に沿って内歯歯車を形成し、その内歯歯車と噛み合う歯車を回転させることにより回転円盤２４を回転駆動するようにしてもよい。
【００４５】
他の実施例としては、図９及び図１０に示すように、回転円盤２４の下面において、回転円盤２４の外周と円形開口４６との間に位置する、環状の溝２４ａを形成し、その溝２４ａの外径をなす周縁に沿って、モータ４２の歯車１１と噛み合う内歯歯車２５ｂを形成して、歯車１１を回転させることにより回転円盤２４を回転駆動するようにしてもよい。或いは、同様にして形成した溝２４ａの内径をなす周縁に沿って、モータ４２の歯車１１と噛み合う歯を形成して、歯車１１を回転させることにより回転円盤２４を回転駆動するようにしてもよい。
【００４６】
さらに別の実施例としては、モータ４２を回転円盤２４の上方に下向きに取付け、回転円盤２４の上面において、上記と同様にして形成した環状の溝の外径或いは内径をなす周縁に沿って、モータ４２の歯車１１と噛み合う内歯歯車又は歯を形成し、歯車１１を回転させることにより回転円盤２４を回転駆動するようにしてもよい。このとき、歯車１１と前記内歯歯車又は前記歯との間にバケット３２内のコインＣが挟み込むのを防ぐために、モータ４２の歯車１１の周囲を適宜の手段によりカバーすることが望ましい。
【図面の簡単な説明】
【図１】実施例のコイン払出装置の外観図。
【図２】図１のコイン払出装置の本体部を分解して示す斜視図。
【図３】実施例のコイン払出装置の要部の構成を示す側面図。
【図４】回転円盤と噛み合う歯車を介して回転駆動する手段を示す図。
【図５】回転円盤の一部を破断して見た平面図。
【図６】（Ａ）はコイン払出装置のコイン受け板の平面図、（Ｂ）は（Ａ）の一部断面図。
【図７】図５において回転円盤の円形開口内にコインが入った状態を示す断面図。
【図８】別の実施例における回転円盤とその上に設けた駆動手段を示す斜視図。
【図９】（Ａ）は、他の実施例における回転円盤とその下に設けた駆動手段を示す斜視図、（Ｂ）は、この回転円盤の形状を示す断面図。
【図１０】図９の実施例において回転円盤の円形開口内にコインが入った状態を示す断面図。
【符号の説明】
１１…歯車、１２…ねじ、２０…コイン払出装置、２２…基台、２４…回転円盤、２４ａ…溝、２４ｂ…周壁、２５…歯、２５ａ…内歯歯車、２５ｂ…内歯歯車、２６…カバー、２６ａ…凹部、２６ｂ…検出窓、２８…本体部、３２…バケット、３４…ねじ、３６…基板、３６ａ…貫通孔、３６ｂ…孔、３６ｃ…軸孔、３６ｄ…長孔、３６ｅ…検出窓、３６ｆ…軸孔、３６ｇ…貫通孔、３７…外側ガイド板、３７ａ…開口、３７ｂ…コイン排出口、３７ｃ…切欠き、３７ｄ…切欠き、３７ｅ…軸孔、３７ｆ…貫通孔、３８…コイン受け板、３９…傾斜部、３９ａ…スリット、４０…コイン送出ガイド板、４１…貫通孔、４２…モータ、４２ａ…出力軸、４２ｂ…ねじ孔、４４…ねじ、４５…貫通孔、４６…円形開口、４７…シャフト、４８…軸受、４９…貫通孔、５０…ガイド爪、５０ａ…コイン保持案内面、５０ｂ…コイン送出案内面、５１…ねじ孔、５４…位置固定ローラ、５６…位置可変ローラ、６０…コインセンサ、６１…コインセンサ、６２…遮光蓋、６３…コントローラ、６４…駆動回路、Ｃ…コイン。
【図１】
2004202078.tif 000003
【図２】
2004202078.tif 000004
【図３】
2004202078.tif 000005
【図４】
2004202078.tif 000006
【図５】
2004202078.tif 000007
【図６】
2004202078.tif 000008
【図７】
2004202078.tif 000009
【図８】
2004202078.tif 000010
【図９】
2004202078.tif 000011
【図１０】
2004202078.tif 000012